(57)【要約】      （修正有）【課題】デザインを損なうのを防止でき、巻き戸のスリットを介して家具の内部を視認することができるデザイン性の高い家具を提供する。【解決手段】前面に開口を有する箱体と、開口を覆う状態と、箱体の内部に収容され開口を開放する状態とに動作する巻き戸２７、２９を具備する家具において、巻き戸は板材３０によって構成され、板材には上下方向と左右方向に互いに隣り合う多数のスリット３５が形成されている。スリットは細幅で上下方向に長く形成され且つ上下方向に短い寸法の連結部を介して多数配置され、連結部は左右方向に隣り合うスリットの中心部分に配置されている。板材を湾曲させる方向の力を加えると、連結部が隣り合うスリットを左右方向へ引っ張り、スリットが弾性的に拡張し、高い可撓性を発揮する。【選択図】図１
0003203474.tif 000002
【実用新案登録請求の範囲】
【請求項１】
前面に開口を有する箱体と、前記開口を覆う状態と、前記箱体の内部に収容され前記開口を開放する状態とに動作する巻き戸を具備する家具において、前記巻き戸は板材によって構成され、前記板材には上下方向と左右方向に互いに隣り合う多数のスリットが形成されており、前記スリットが弾性的に拡張することで可撓性を備えていることを特徴とする家具。
【請求項２】
請求項１に記載した家具において、スリットは細幅で上下方向に長く形成され且つ上下方向に短い寸法の連結部を介して多数配置され、前記連結部は左右方向に隣り合うスリットの中心部分に対応して配置されていることを特徴とする家具。
【請求項３】
請求項１または２に記載した家具において、家具は仏壇であることを特徴とする家具。
【考案の詳細な説明】
【技術分野】
【０００１】
本考案は仏壇等の家具に係り、特に箱体に設けられた開口を開閉自在に覆う巻き戸を備えた家具に関するものである。
【背景技術】
【０００２】
特許文献１の図３には巻き戸を備えた仏壇が示されており、この仏壇の箱体には開口部が設けられている。この開口部は開閉される巻き戸によって覆われる状態と、開放される状態となる。巻き戸は開いた状態でも左右方向へ張り出さないことから、仏壇の設置場所がスペース的に制限されないという利点を有している。
巻き戸は細幅の板を多数配列した状態で、板の裏面に柔軟性シートを貼り付けることで細幅の板を連結して構成されている。細幅の板どうしは柔軟性シートによって繋がっているため、その境界において自由に湾曲できるので、巻き戸は可撓性を有することになる。
【先行技術文献】
【特許文献】
【０００３】
【特許文献１】特開２００５−１８５４１２号公報
【考案の概要】
【考案が解決しようとする課題】
【０００４】
しかしながら、上記従来の巻き戸を有する仏壇等の家具では、柔軟性シートが見えてしまうと家具全体のデザインを損なうおそれがある。特に仏壇は仏具であることから、柔軟性シートが僅かでも見えると、その商品価値を低下させることになる。
本考案は上記従来の問題点に着目して為されたものであり、デザインを損なうのを防止でき、巻き戸のスリットを介して家具の内部を視認することができるデザイン性の高い家具の提供を、その目的とする。
【課題を解決するための手段】
【０００５】
本考案は上記課題を解決するためになされたものであり、請求項１の考案は、前面に開口を有する箱体と、前記開口を覆う状態と、前記箱体の内部に収容され前記開口を開放する状態とに動作する巻き戸を具備する家具において、前記巻き戸は板材によって構成され、前記板材には上下方向と左右方向に互いに隣り合う多数のスリットが形成されており、前記スリットが弾性的に拡張することで可撓性を備えていることを特徴とする家具である。
【０００６】
請求項２の考案は、請求項１に記載した家具において、スリットは細幅で上下方向に長く形成され且つ上下方向に短い寸法の連結部を介して多数配置され、前記連結部は左右方向に隣り合うスリットの中心部分に対応して配置されていることを特徴とする家具である。
【０００７】
請求項３の考案は、請求項１または２に記載した家具において、家具は仏壇であることを特徴とする家具である。
【考案の効果】
【０００８】
本考案の家具によれば、柔軟性シートを使用しないで巻き戸を製作することができ、家具全体のデザインを損なうのを防止することが可能となる。特に仏壇においては柔軟性シートを使用しないことから、その商品価値が低下するのを防止することができる。
また、巻き戸のスリットを介して家具の内部を視認することができ、家具のデザイン性を高めることが可能となる。
【図面の簡単な説明】
【０００９】
【図１】本考案の実施の形態に係る仏壇の巻き戸を閉じた状態の斜視図である。
【図２】図１のＡ−Ａ断面図である。
【図３】図１の仏壇の巻き戸を開いた状態の斜視図である。
【図４】図３のＡ−Ａ断面図である。
【図５】（Ａ）は図１の巻き戸を構成する板材の平らな状態の正面図、（Ｂ）は同平面図である。
【図６】図５（Ａ）の部分拡大図である。
【図７】（Ａ）は図１の巻き戸を構成する板材を湾曲させた状態の正面図、（Ｂ）は同平面図である。
【図８】図７（Ａ）の部分拡大図である。
【図９】図１の仏壇の正面図である。
【考案を実施するための形態】
【００１０】
本考案の実施の形態に係る家具としての仏壇１を図面にしたがって説明する。
符号３は箱体としての本体を示し、この本体３は底板５、左右の側板７、９、天板１１及び背板１３から成り、前面に開口１５を有している。
また、本体３の内部には棚板１７が設けられ、この棚板１７には位牌１９等が載置される。
【００１１】
底板５の上面にはガイド溝２１が形成され、このガイド溝２１は底板５の前端部から左右の端部に渡って連続している。また、天板１１の下面にもガイド溝２１に対向してガイド溝（図示せず）が形成されている。
【００１２】
本体３内には一対の対向板２３、２５が備えられ、この対向板２３は左側板７に対向し、対向板２５は右側板９に対向して配置されている。対向板２３と左側板７との間、対向板２５と右側板９との間には空間が形成され、この空間が後述する巻き戸２７、２９の収容部３１、３３となる。収容部３１、３３の下方にガイド溝２１が位置し、上方に天板１１のガイド溝が位置している。
【００１３】
巻き戸２７、２９は左右一対設けられ、長方形の木製の板材３０によって構成されている。板材３０には上下方向と左右方向に互いに隣り合う多数のスリット３５が形成されている。スリット３５は細幅で上下方向に長く形成され且つ上下方向に短い寸法の連結部３７を介して配置され、連結部３７は左右方向に隣り合うスリット３５の中心部分に対応して配置されている。板材３０はスリット３５が弾性的に拡張することで可撓性を備えている。
巻き戸２７、２９を構成する板材３０は、その下端部がガイド溝２１、上端部が天板１１のガイド溝に摺動自在に嵌っている。また、巻き戸２７を構成する板材３０の右端部には取っ手３９が取り付けられ、巻き戸２９を構成する板材３０の左端部には取っ手４１が取り付けられている。
【００１４】
巻き戸２７、２９を構成する板材３０は上記のように可撓性を有しているので、取っ手３９、４１を持って摺動させて、開口１５を覆う状態と、本体３の内部に設けられた収容部３１、３３に収容され、開口１５を開放する状態とに動作させることができる。
【００１５】
図５、図６に示すように、巻き戸２７、２９を構成する板材３０は、平らな状態ではスリット３５は全てが一定の幅寸法となっている。板材３０が湾曲する場合には、スリット３５が弾性的に拡張する。これにより板材３０が可撓性を発揮することになる。
前述のようにスリット３５は細幅で上下方向に長く形成され且つ上下方向に短い寸法の連結部３７を介して多数配置され、この連結部３７は左右方向に隣り合うスリット３５の中心部分に対応して配置されているので、板材３０に湾曲させる方向の力を加えると、連結部３７が隣り合うスリット３５を左右方向へ引っ張ることになる。従って、スリット３５が弾性的にスムーズに拡張し、板材３０が高い可撓性を発揮する。
【００１６】
図９に示すように、仏壇１では板材３０に多数のスリット３５が形成されているので、巻き戸２７、２９を閉じて開口１５を閉鎖した状態でも、スリット３５を介して本体３の内部に備えられた位牌１９等を視認することができる。従って、仏壇１のデザイン性を高めることが可能となる。
しかも、位牌１９を常時視認することが可能となることで、先祖を敬いたいという気持ちに応えることができるようになる。従って、仏壇の仏具としての機能の充実を図ることが可能となる。
【００１７】
以上、本考案の実施の形態について詳述してきたが、具体的構成は、この実施の形態に限られるものではなく、本考案の要旨を逸脱しない範囲における設計の変更などがあっても考案に含まれる。
例えば、スリットの形状は幅寸法が上下方向において一定でなくてもよく、例えば、スリットを菱形等にしてもよい。
また、連結部は、必ずしも左右方向に隣り合うスリット３５の中心部分に対応して配置する必要はなく、連結部が隣り合うスリット３５の中心部分からずれて配置する構成とすることも可能である。
また、本考案は仏壇以外の家具、例えば、神棚、更にテレビ台、サイドボード、本棚、食器棚等の収納家具に適用することも可能である。このうちテレビ台では、テレビジョン受像機の赤外線センサー（受光部）を備えた本体装置を収容した場合、戸を閉じたままでもスリットを介して赤外線が通過することから、戸を開くことなく、リモコンによる操作が可能である。
【産業上の利用可能性】
【００１８】
本考案は家具製造業、特に仏壇製造業において利用可能性を有し、柔軟性シートを使用しないで巻き戸を製作することができるので、特に仏壇に、その商品価値が低下するのを完全に防止することができる。また、巻き戸のスリットを介して仏壇の内部を視認することができる。
【符号の説明】
【００１９】
１…仏壇                ３…本体                ５…底板
７…左側板              ９…右側板            １１…天板
１３…背板              １５…開口              １７…棚板
１９…位牌              ２１…ガイド溝          ２３、２５…対向板
２７…左側の巻き戸      ２９…右側の巻き戸      ３０…板材
３１、３３…収容部      ３５…スリット          ３７…連結部
３９、４１…取っ手
【図１】
0003203474.tif 000003
【図２】
0003203474.tif 000004
【図３】
0003203474.tif 000005
【図４】
0003203474.tif 000006
【図５】
0003203474.tif 000007
【図６】
0003203474.tif 000008
【図７】
0003203474.tif 000009
【図８】
0003203474.tif 000010
【図９】
0003203474.tif 000011